(57)【要約】【課題】鼻孔部分の周辺の酸素濃度を高めて、通常より高濃度の酸素を常時または随時、吸入可能とした携帯に便利な酸素吸入補助具を提供する。【解決手段】酸素吸入補助具１は、両端に反対方向を向くＮ、Ｓの各磁極２１ａ，２１ｂを有し磁極２１ａ，２１ｂ間の距離が左右の鼻孔の間隔に合わせて設定された第１の磁石２１と、Ｎ磁極２２ａが第１の磁石２１のＮ磁極２１ａと間隙５１を介して向き合うように配置される第２の磁石２２と、Ｓ磁極２３ｂが第１の磁石２１のＳ磁極２１ｂと間隙５２を介して向き合うように配置される第３の磁石２３と、第１、第２、第３の各磁石２１〜２３を間隙５１，５２を保った状態で一体に保持する保持部材３と、各間隙５１，５２にそれぞれ左右の鼻孔の開口が臨むように第１、第２、第３の各磁石２１〜２３を顔面上に定位させる固定部材４とから成る。【選択図】図１
2011030754.tif 000002
【特許請求の範囲】
【請求項１】
両端に反対方向を向く磁極を有し磁極間の距離が左右の鼻孔の間隔に合わせて設定された第１の磁石と、第１の磁石の一端の磁極と同極性の磁極が前記磁極と間隙を介して向き合うように配置される第２の磁石と、第１の磁石の他端の磁極と同極性の磁極が前記磁極と間隙を介して向き合うように配置される第３の磁石と、第１、第２、第３の各磁石を前記間隙を保った状態で一体に保持する保持部材と、第１の磁石と第２の磁石との間の間隙と第１の磁石と第３の磁石との間の間隙にそれぞれ左右の鼻孔の開口が臨むように第１、第２、第３の各磁石を顔面上に定位させる固定部材とから成る酸素吸入補助具。
【請求項２】
第１、第２、第３の各磁石は永久磁石であり、第２、第３の各磁石は、別個の永久磁石により構成されている請求項１に記載された酸素吸入補助具。
【請求項３】
第１、第２、第３の各磁石は永久磁石であり、第２、第３の各磁石は、１個の永久磁石で兼ねている請求項１に記載された酸素吸入補助具。
【請求項４】
第１、第２、第３の各磁石は、それぞれ貫通孔を有しかつ両端に磁極を有する筒状の永久磁石であり、第１の磁石を挟んで第２、第３の各磁石を筒軸方向へ１列に整列した状態で保持部材により一体に保持されている請求項１または２に記載された酸素吸入補助具。
【請求項５】
前記保持部材は、各磁石の貫通孔へ挿通される非伸縮性の紐である請求項１または４に記載された酸素吸入補助具。
【請求項６】
前記保持部材は、各磁石を個別に収容して保持する空間を備えた容器状のホルダである構成されている請求項１または４に記載された故郷補助具。
【請求項７】
前記保持部材は、各磁石を埋設するモールド樹脂である請求項１または４に記載された故郷補助具。
【請求項８】
前記固定部材は、両端が保持部材の両端にそれぞれ接続された後頭部に周回させる伸縮性のある紐である請求項１に記載された酸素吸入補助具。
【請求項９】
前記固定部材は、保持部材の両端にそれぞれ取り付けられた左右の耳に引っ掛けられる紐である請求項１に記載された酸素吸入補助具。
【請求項１０】
前記固定部材は、保持部材の長さ中央部に設けられた鼻孔部分に留め固定される留め具である請求項１に記載された酸素吸入補助具。
【発明の詳細な説明】
【技術分野】
【０００１】
この発明は、高濃度の酸素を生成して鼻孔より吸入可能とした携帯に便利な酸素吸入補助具に関し、特にこの発明は、鼻孔部分に装着して常時または必要に応じて随時、高濃度の酸素を吸入可能とした酸素吸入補助具に関する。
【背景技術】
【０００２】
高濃度の酸素を摂取することは、疲労回復、美容、記憶力の向上などにきわめて有効である。従来、高濃度の酸素を摂取するのに、圧縮酸素を封入した酸素ボンベから酸素の噴出量を弁で調整しながら酸素の吸入を行う酸素吸入器が一般に用いられてきた。しかし、この種の酸素吸入器は、大きさや重量が嵩んで取扱が簡易でなく、特に、スポーツ現場などへ携行して使用するには不向きである。
【０００３】
近年、スポーツ現場などでの使用を目的とした携帯用の酸素吸入器が提案されている（例えば、特許文献１参照）。この酸素吸入器は、高圧酸素を充填したゴム風船に管や吸入マスクを接続して適宜吸入し得るようにしたものである。ゴム風船内の酸素がなくなると、酸素供給源にゴム風船を接続し、高圧酸素をゴム風船内に導入する。
【先行技術文献】
【特許文献】
【０００４】
【特許文献１】実用新案登録第３１１３３７６号公報
【発明の概要】
【発明が解決しようとする課題】
【０００５】
しかし、上記した携帯用の酸素吸入器は、スポーツ現場での使用によりゴム風船内の酸素が尽きると、酸素供給源にゴム風船を接続して酸素を導入する必要があるため、スポーツ現場に酸素供給源を持ち込まない限り、継続して使用することは困難である。また、酸素を導入して膨らませたゴム風船は筒状容器内に収納されるが、その種の容器は嵩張るため、携帯に適さず、取扱も簡易でない。さらに、この種の酸素吸入器は、スポーツ現場などで使用できるものの、登山などの歩行中や運動の最中に使用したり、場所を問わず必要に応じて随時使用したりするのが困難である。特に、呼吸を助ける目的で通常より高濃度の酸素を常時取り込むようにして、疲労の度合を軽減する、といった用途には適用できない。
【０００６】
この発明は、上記の問題に着目してなされたもので、鼻孔部分の周辺の酸素濃度を高めて、通常より高濃度の酸素を常時または随時、吸入可能とした携帯に便利な酸素吸入補助具を提供することを目的とする。
【課題を解決するための手段】
【０００７】
この発明による酸素吸入補助具は、両端に反対方向を向く磁極を有し磁極間の距離が左右の鼻孔の間隔に合わせて設定された第１の磁石と、第１の磁石の一端の磁極と同極性の磁極が前記磁極と間隙を介して向き合うように配置される第２の磁石と、第１の磁石の他端の磁極と同極性の磁極が前記磁極と間隙を介して向き合うように配置される第３の磁石と、第１、第２、第３の各磁石を前記間隙を保った状態で一体に保持する保持部材と、第１の磁石と第２の磁石との間の間隙と第１の磁石と第３の磁石との間の間隙にそれぞれ左右の鼻孔の開口が臨むように第１、第２、第３の各磁石を顔面上に定位させる固定部材とから成る。
【０００８】
上記した構成の酸素吸入補助具では、第１の磁石の一端の磁極に第２の磁石の同極性の磁極が間隙を介して向き合い、また、第１の磁石の他端の磁極に第３の磁石の同極性の磁極が間隙を介して向き合うので、それぞれの間隙では磁力線が互いに反発し合って各間隙を取り巻く周辺の領域に作用する結果、各間隙の周辺は磁力線が密集して磁場が強められ、常磁性体である空気中の酸素が引き寄せられて酸素の濃度が高められる。
第１の磁石の両端の磁極間の距離は左右の鼻孔の間隔に合わせてあり、第１の磁石と第２の磁石との間の間隙と第１の磁石と第３の磁石との間の間隙にそれぞれ左右の鼻孔の開口を臨ませるようにして第１、第２、第３の各磁石を固定部材によって顔面上に定位させるので、各間隙の周辺で得られる高濃度の酸素を吸入することができる。
【０００９】
この発明の好ましい実施態様では、第１、第２、第３の各磁石として永久磁石を用いるが、第２、第３の各磁石を別個の永久磁石により構成することも、１個の永久磁石で兼ねることもできる。なお、第１、第２、第３の各磁石として、永久磁石に限らず、電磁石を用いることも可能である。
【００１０】
この発明の好ましい実施態様では、第１、第２、第３の各磁石として、それぞれ貫通孔を有しかつ両端に磁極を有する筒状の永久磁石が用いられ、第１の磁石を挟んで第２、第３の各磁石を筒軸方向へ１列に整列した状態で保持部材により一体に保持されている。
第１、第２、第３の各磁石を上記した筒状の永久磁石により構成した場合、保持部材を各磁石の貫通孔へ挿通される非伸縮性の紐により構成する。この実施態様によれば、各磁石の貫通孔へ保持部材の紐を通して各磁石を必要に応じて接着剤などで固定すると、各磁石は所定の間隙を保った状態で一体に保持され、安価かつ容易に製作できる。
【００１１】
前記保持部材は、非伸縮性の紐に限らず、各磁石を個別に収容して保持する空間を備えた容器状のホルダにより構成してもよく、また、各磁石を埋設するモールド樹脂により構成してもよい。
【００１２】
前記固定部材は、種々の態様のものを採択することが可能である。第１の態様は、両端が保持部材の両端にそれぞれ接続された後頭部に周回させる伸縮性のある紐であり、第２の態様は、保持部材の両端にそれぞれ取り付けられた左右の耳に引っ掛けられる紐であり、第３の態様は、保持部材の長さ中央部に設けられた鼻孔部分に留め固定される留め具である。
【発明の効果】
【００１３】
この発明によると、鼻孔部分の周辺の酸素濃度が高められ、その通常より高濃度の酸素を常時または随時、吸入することができる。また、この発明による酸素吸入補助具は、酸素ボンベなどを必要としないから、嵩張らずに携帯にきわめて便利であり、取扱も簡易かつ安全であり、安価に製作できる。
【図面の簡単な説明】
【００１４】
【図１】この発明の一実施例である酸素吸入補助具の外観を示す平面図である。
【図２】磁場生成部の構成を示す断面図である。
【図３】図２のＡ−Ａ線に沿う断面図である。
【図４】第１〜第３の磁石の配列と磁力線の様子を示す説明図である。
【図５】第１〜第３の磁石の他の構成例を示す正面図である。
【図６】第１〜第３の磁石のさらに他の構成例を示す正面図である。
【図７】保持部材と固定部材とを連結する自在継ぎ手を拡大して示す正面図である。
【図８】保持部材と固定部材の他の実施例を示す正面図である。
【図９】保持部材と固定部材のさらに他の実施例を示す正面図である。
【図１０】第１〜第３の磁石に電磁石を用いた実施例を示す断面図である。
【図１１】第１〜第３の磁石の他の配列例を示す説明図である。
【図１２】第２、第３の磁石の他の実施例を示す説明図である。
【図１３】図１の実施例の使用状態を示す説明図である。
【図１４】図８の実施例の使用状態を示す説明図である。
【図１５】図９の実施例の使用状態を示す説明図である。
【発明を実施するための形態】
【００１５】
図１は、この発明の一実施例である酸素吸入補助具１の外観および構成を示している。
図示例の酸素吸入補助具１は、高濃度の酸素が得られる磁場を生成するための磁場生成部２と、磁場生成部２を構成する３個の磁石２１，２２，２３を一体に保持する保持部材３と、磁場生成部２を顔面上の鼻孔部分に定位させる固定部材４とで構成されている。
【００１６】
磁場生成部２を構成する３個の磁石２１〜２３は、図２〜図４に示すように、同じ大きさ、同じ形状の３個の円筒状の永久磁石を用いて構成されており、それぞれ貫通孔２４を有し、一端がＮ磁極２１ａ〜２３ａに、他端がＳ磁極２１ｂ〜２３ｂに、それぞれ帯磁している。なお、３個の磁石２１〜２３は、必ずしも大きさや形状が同じである必要はない。第１の磁石２１の両端の磁極２１ａ、２１ｂ間の距離Ｌ、すなわち、磁石の長さは、左右の鼻孔ａ，ｂの間隔ｄに合わせて、間隔ｄとほぼ同じ値またはわずかに小さな値に設定されている。
【００１７】
第１の磁石２１を挟んで第２、第３の各磁石２２，２３が筒軸方向に沿って軸芯を一致させて整列状態で配置されている。第２の磁石２２は、Ｎ磁極２２ａが第１の磁石２２のＮ磁極２１ａと小さな間隙５１を介して向き合うように配置されている。第３の磁石２３は、Ｓ磁極２３ｂが第１の磁石２１のＳ磁極２１ｂと小さな間隙５２を介して向き合うように配置されている。この実施例では間隙５１，５２の大きさは一致している。
【００１８】
第１〜第３の各磁石２１〜２３は、それぞれ１個の円筒状の永久磁石により構成しているが、図５および図６に示す実施例のように、それぞれ２個の円筒状の永久磁石２１Ｐ，２１Ｑ、２２Ｐ，２２Ｑ、２３Ｐ，２３Ｑによって構成することもできる。
【００１９】
図５に示す実施例では、第１〜第３のいずれの磁石２１〜２３も、２個の永久磁石を磁気吸着させることにより構成され、上記した図１〜図４の実施例と同様、一端がＮ磁極２１ａ〜２３ａに、他端がＳ磁極２１ｂ〜２３ｂに、それぞれ帯磁している。第２の磁石２２は、Ｎ磁極２２ａが第１の磁石２２のＮ磁極２１ａと間隙５１を介して向き合い、第３の磁石２３は、Ｓ磁極２３ｂが第１の磁石２１のＳ磁極２１ｂと間隙５２を介して向き合っている。
【００２０】
図６に示す実施例では、第１の磁石２１は、２個の永久磁石２１Ｐ，２１ＱのＳ磁極同士を向き合わせることにより構成され、両端にＮ磁極２１ａが帯磁している。第２の磁石２２は、Ｎ磁極２２ａが第１の磁石２１の一方のＮ磁極２１ａと間隙５１を介して向き合い、第３の磁石２３は、Ｎ磁極２３ａが第１の磁石２１の他方のＮ磁極２１ａと間隙５２を介して向き合っている。なお、図中、５０は第１の磁石２１を構成する２個の永久磁石２１Ｐ，２１ＱのＳ磁極間の隙間である。
【００２１】
前記保持部材３は、第１、第２、第３の各磁石２１〜２３を前記の間隙５１，５２を保った状態で一体に保持する。この実施例では、各磁石２１〜２３の貫通孔２４へ挿通される非伸縮性の紐３０が用いられている。紐３０の直径を各磁石２１〜２３の貫通孔２４の内径に一致させれば、各磁石２１〜２３は紐３０上の任意の位置に止まるが、各磁石２１〜２３を定位置に固定するのに紐３０との間に接着剤を介在させてもよい。
【００２２】
この紐３０は、ゲルマニウム粉末を付着させた合成繊維の紐より成り、断面形状が円形であり、全長にわたって一定の線径を有している。この合成繊維の紐はポリエステルなどの合成繊維材料にゲルマニウム粉末を練り込んで紡糸することにより得られる。ゲルマニウムは人体に所定の物理的作用を及ぼして健康の増進に有効に機能するものであるが、繊維に付着させる健康増進のための材料として、ゲルマニウム粉末に代えて、永久磁石やマイナスイオン発生物質の粉末を用いることができる。なお、紐３０は合成繊維の紐に限らず、金属やプラスチックのような合成樹脂の線材を使用することもできる。
【００２３】
紐３０の両端には、それぞれ合成樹脂製の自在継ぎ手６，６を介して、固定部材４としての紐４０が接続されている。この紐４０は、後頭部に周回されるもので、頭部の周長さの大小に対応させるために、ゴムのような伸縮性のある材料を用いて形成されている。
【００２４】
この紐４０を後頭部に周回させ、図１３に示すように、第１の磁石２１と第２の磁石２２との間の間隙５１と第１の磁石２１と第３の磁石２３との間の間隙５２にそれぞれ左右の鼻孔ａ，ｂの開口を臨ませるようにして磁場生成部２の第１、第２、第３の各磁石２１〜２３を顔面上に定位させる。
【００２５】
前記各自在継ぎ手６は、図７に示すように、保持部材３の紐３０の端部に装着される連結軸部６１と固定部材４の紐４０の端部に装着される連結受部６２とから成る。連結軸部６１は先端に球体６３を有する軸部６４を有し、一方、連結受部６２は割溝６５を挟んで対向する支持壁６６，６６にそれぞれ軸受孔６７が開設されている。割溝６５の溝幅は軸部６４の軸径より大きくかつ球体６３の直径より小さく、また、各軸受孔６７の孔径は球体６３の直径より小さい。球体６３は軸受孔６７に抜止め状態で回動自由に係合される。
【００２６】
図８は、保持部材３と固定部材４の他の実施例を示している。
図示例の保持部材３は、第１〜第３の各磁石２１〜２３を１列に整列した状態で保持するための容器状のホルダ３１により構成されている。このホルダ３１は透磁性を有する合成樹脂材料により形成され、各磁石２１〜２３を個別に収容して保持する３個の空間３２〜３４を有している。各空間３２〜３４を仕切る仕切壁３５は前記間隙５１，５２に相当する厚みを有している。各端壁３６，３７の内面および各仕切壁３５の両面には各磁石２１〜２３の貫通孔２４の両端開口に嵌る抜止め用の突部３８が形成されている。各端壁３６，３７の外面には固定部材４の取付が可能な取付部３９が一体形成されている。
【００２７】
この実施例における固定部材４は、左右の耳に引っ掛けることが可能な周長さのリング状の紐４１，４２により構成されており、各紐４１，４２は上記の保持部材３の両端の取付部３９に取り付けられている。各紐３は顔面の幅の大小に対応させるために、ゴムのような伸縮性を有する材料を用いて形成するのが望ましい。
左右の紐４１，４２を左右の耳に引っ掛け、図１４に示すように、第１の磁石２１と第２の磁石２２との間の間隙５１と第１の磁石２１と第３の磁石２３との間の間隙５２にそれぞれ左右の鼻孔ａ，ｂの開口を臨ませるようにして磁場生成部２の第１、第２、第３の各磁石２１〜２３を顔面上に定位させる。
【００２８】
図９は、保持部材３と固定部材４のさらに他の実施例を示している。
図示例の保持部材３は、第１〜第３の各磁石２１〜２３を埋設するモールド樹脂７０により構成されている。モールド樹脂７０の中には、第１の磁石２１を挟んで第２、第３の各磁石２２，２３が間隙５１，５２を介して筒軸方向に沿って１列に整列した状態で埋設されている。
【００２９】
このモールド樹脂７０の外周面の長さ中央部には固定部材４を構成する留め具４３が一体形成されている。この留め具４３は鼻孔部分に引っ掛けて留め固定するためのものである。なお、留め具４３は、図示例のもの以外にクリップ状のものなど、種々の態様のものを採用できる。
【００３０】
留め具４３の先端部分を左右の鼻孔ａ，ｂに挿入して引っ掛け、図１５に示すように、第１の磁石２１と第２の磁石２２との間の間隙５１と第１の磁石２１と第３の磁石２３との間の間隙５２にそれぞれ左右の鼻孔ａ，ｂの開口を臨ませるようにして磁場生成部２の第１、第２、第３の各磁石２１〜２３を顔面上に定位させる。
【００３１】
なお、上記した各実施例では、第１〜第３の磁石２１〜２３として永久磁石を用いているが、図１０に示す実施例のように、電磁石を用いることも可能である。この実施例では、各磁石２１〜２３のコイルへ通電するための正負の引出線４５，４６が外部へ引き出され、この引出線４５，４６を電池などに接続するようになっている。なお、図中、４４，４５は固定部材４としてのリング状の紐４１，４２を取り付けるための取付部である。
【００３２】
また、上記した実施例では、３個の筒状の磁石２１〜２３は筒軸方向に沿って軸芯を揃えて整列しているので、向き合う磁極２１ａ，２２ａ、２１ｂ，２３ｂは互いに平行であるが、図１１に示すように、第１の磁石２１に対して、第２、第３の各磁石２２，２３を傾けることにより、各間隙５１，５２を一方へ開いた状態に設定してもよい。
【００３３】
さらに、上記の実施例では、第１、第２、第３の各磁石２１〜２３は別個の永久磁石により構成しているが、第２、第３の各磁石２２，２３を、図１２に示すように、１個の永久磁石８で兼ねるようにしてもよい。この実施例の永久磁石８は、第１の磁石２１のＮ磁極２１ａとＳ磁極２１ｂとに間隙５１，５２を介してそれぞれ向き合うＮ磁極８ａとＳ磁極８ｂとを有する脚部８１，８２を一体に備えている。
【００３４】
上記の各実施例において、第１の磁石２１の一端のＮ磁極２１ａに第２の磁石２２のＮ磁極２２ａが間隙５１を介して向き合い、また、第１の磁石２１のＳ磁極２１ｂに第３の磁石２３のＳ磁極２３ｂが間隙５２を介して向き合うので、それぞれの間隙５１，５２では、磁力線Ｘが互いに反発し合って各間隙５１，５２を取り巻く周辺領域に作用する結果、各間隙５１，５２の周辺は磁力線Ｘが密集して磁場が強められ、常磁性体である空気中の酸素が引き寄せられて酸素濃度が通常より高められる。
【００３５】
第１の磁石２１のＮ磁極２１ａとＳ磁極２１ｂと間の距離Ｌは左右の鼻孔ａ，ｂの間隔ｄに合わせてあり、第１の磁石２１と第２の磁石２２との間の間隙５１と第１の磁石２１と第３の磁石２３との間の間隙５２にそれぞれ左右の鼻孔ａ，ｂの開口を臨ませるように第１、第２、第３の各磁石２１〜２３を固定部材４によって顔面上に定位させるので（図１３〜図１５）、各間隙５１，５２の周辺で得られる高濃度の酸素を吸入することができる。
【符号の説明】
【００３６】
１    酸素吸入補助具
３    保持部材
４    固定部材
２１，２２，２３  磁石
２１ａ，２２ａ，２３ａ  Ｎ磁極
２１ｂ、２２ｂ、２３ｂ  Ｓ磁極
２４  貫通孔
３０  紐
３１  ホルダ
４０  紐
４１，４２  紐
７０  モールド樹脂
【図１】
2011030754.tif 000003
【図２】
2011030754.tif 000004
【図３】
2011030754.tif 000005
【図４】
2011030754.tif 000006
【図５】
2011030754.tif 000007
【図６】
2011030754.tif 000008
【図７】
2011030754.tif 000009
【図８】
2011030754.tif 000010
【図９】
2011030754.tif 000011
【図１０】
2011030754.tif 000012
【図１１】
2011030754.tif 000013
【図１２】
2011030754.tif 000014
【図１３】
2011030754.tif 000015
【図１４】
2011030754.tif 000016
【図１５】
2011030754.tif 000017